(57)【特許請求の範囲】
【請求項１】
３本の直進溝が内周面に等間隔で形成された固定筒と、該固定筒の外周部に回動自在に設けられると共に３本のカム溝が等間隔で形成されたカム筒と、前記固定筒の前記３本の直進溝及び前記カム筒の前記３本のカム溝に嵌合される３本のカムピンが突設されると共に前記カム筒の回動に伴い前記３本のカム溝及び前記３本の直進溝に沿って光軸方向に前後移動する複数の移動レンズ枠とを備えたレンズの移動機構であって、
前記カム筒の端面には、前記移動レンズ枠の前記３本のカムピンを前記３本のカム溝に挿入するための３本の挿入溝が形成され、
前記固定筒の端面には、前記移動レンズ枠の前記３本のカムピンを前記３本の直進溝に挿入するための３箇所の開口端が形成され、
前記カム筒を回動させて前記カム溝の前記３本の挿入溝が、前記固定筒の前記３本の直進溝の前記３箇所の開口端と合致した位置で、最初の移動レンズ枠の３本のカムピンを、前記３本の挿入溝及び前記３箇所の開口端を介して前記３本のカム溝及び前記３本の直進溝に嵌合させたのち、
前記カム筒を同一方向に１２０°回動させて前記カム溝の前記３本の挿入溝が、前記固定筒の前記３本の直進溝の前記３箇所の開口端と合致した位置で、次の移動レンズ枠の３本のカムピンを、前記３本の挿入溝及び前記３箇所の開口端を介して前記３本のカム溝及び前記３本の直進溝に嵌合させた時に所定の光学性能を有し、
前記３本の各々のカム溝は、前記最初の移動レンズ枠用の第１のカム溝と、前記次の移動レンズ枠用の第２のカム溝とからなり、前記第１のカム溝と前記第２のカム溝とは、前記カム筒の同一回転方向に沿って連通されていることを特徴とするレンズの移動機構。
【請求項２】
前記カム筒は、モータによって回転駆動されることを特徴とする請求項１記載のレンズの移動機構。
【発明の詳細な説明】
【技術分野】
【０００１】
本発明はレンズの移動機構に係り、特に複数の移動レンズをカム機構によって前後移動させてズーミングを行うレンズの移動機構に関する。
【背景技術】
【０００２】
特許文献１に開示されたズームレンズは、カム筒の端面にカム溝に連通するカムピン挿入溝を形成し、この挿入溝を介してカム溝に移動レンズ枠のカムピンを嵌合させることにより、移動レンズ枠の組立性を向上させている。
【０００３】
図１２は、カムピン挿入溝１、２が形成されたカム筒３の一例を示す展開図である。同図に示すカム筒３は、１群レンズ枠の３本のカムピン（図示せず）が嵌合される３本のカム溝４と、２群レンズ枠の３本のカムピン（図示せず）が嵌合される３本のカム溝５とがそれぞれ１２０°間隔で形成された沈胴式のカム筒である。
【０００４】
前記カム筒３にレンズ枠を組み付ける場合には、まず、２群レンズ枠の３本のカムピンを、３本のカムピン挿入用溝２を介して３本のカム溝５に嵌合する。次に、１群レンズ枠のカムピンを、３本のカムピン挿入用溝１を介して３本のカム溝４に嵌合する。以上で２群レンズ及び１群レンズ枠が、カム筒３に組み付けられる。
【０００５】
前記カム筒３によれば、カム筒３をＷＩＤＥ〜ＴＥＬＥまでの範囲で回動させると、１群レンズ枠と２群レンズ枠とが非線形形状のカム溝４Ａ、５Ａに沿って光軸方向に前後移動するので、ズーミングを行うことができる。そして、カム筒３をＴＥＬＥ位置から沈胴位置に向けて回動させると、１群レンズ枠と２群レンズ枠とが直線溝４Ｂ、５Ｂに沿って光軸の後方に移動してカメラ本体に沈胴し、また、カム筒３を沈胴位置からＴＥＬＥ位置に向けて回動させると、１群レンズ枠と２群レンズ枠とが直線溝４Ｂ、５Ｂに沿って光軸の前方に移動してカメラ本体から繰り出され、ＴＥＬＥ位置に保持される。
【特許文献１】実公平７−１０３２５号公報
【発明の開示】
【発明が解決しようとする課題】
【０００６】
しかしながら、図１２に示すズームレンズのカム筒３は、移動レンズ群の数Ａと移動レンズ枠のカムピンの本数Ｂに対応した６（Ａ×Ｂ）本のカム溝４、５が形成されているので、カム溝４、５の本数が多くなり、カム溝４、５の設計（プログラム）や加工等に手間がかかるという欠点があった。
【０００７】
また、前記カム筒３は、６本のカムピン挿入溝１、２が形成されているので、その分だけカム筒３の展開長が長くなり、カム筒３が大径化するという欠点があった。
【０００８】
本発明はこのような事情に鑑みてなされたもので、カム溝の本数を少なくしてカム筒の製作を容易にすると共にカム筒の小型化を図ることができるレンズの移動機構を提供することを目的とする。
【課題を解決するための手段】
【０００９】
本発明は前記目的を達成するために、３本の直進溝が内周面に等間隔で形成された固定筒と、該固定筒の外周部に回動自在に設けられると共に３本のカム溝が等間隔で形成されたカム筒と、前記固定筒の前記３本の直進溝及び前記カム筒の前記３本のカム溝に嵌合される３本のカムピンが突設されると共に前記カム筒の回動に伴い前記３本のカム溝及び前記３本の直進溝に沿って光軸方向に前後移動する複数の移動レンズ枠とを備えたレンズの移動機構であって、前記カム筒の端面には、前記移動レンズ枠の前記３本のカムピンを前記３本のカム溝に挿入するための３本の挿入溝が形成され、前記固定筒の端面には、前記移動レンズ枠の前記３本のカムピンを前記３本の直進溝に挿入するための３箇所の開口端が形成され、前記カム筒を回動させて前記カム溝の前記３本の挿入溝が、前記固定筒の前記３本の直進溝の前記３箇所の開口端と合致した位置で、最初の移動レンズ枠の３本のカムピンを、前記３本の挿入溝及び前記３箇所の開口端を介して前記３本のカム溝及び前記３本の直進溝に嵌合させたのち、前記カム筒を同一方向に１２０°回動させて前記カム溝の前記３本の挿入溝が、前記固定筒の前記３本の直進溝の前記３箇所の開口端と合致した位置で、次の移動レンズ枠の３本のカムピンを、前記３本の挿入溝及び前記３箇所の開口端を介して前記３本のカム溝及び前記３本の直進溝に嵌合させた時に所定の光学性能を有し、前記３本の各々のカム溝は、前記最初の移動レンズ枠用の第１のカム溝と、前記次の移動レンズ枠用の第２のカム溝とからなり、前記第１のカム溝と前記第２のカム溝とは、前記カム筒の同一回転方向に沿って連通されていることを特徴としている。
【００１０】
本発明によれば、まず、カム筒を回動させてカム溝が固定筒の直進溝と合致した位置で、最初の移動レンズ枠のカムピンを前記カム溝及び直進溝に嵌合させる。次に、カム筒を所定の方向に回動させていくと、前記最初の移動レンズ枠はカム溝と直進溝とにガイドされてカム筒に収納されていく。そして、カム筒を所定角度回動させてカム溝が固定筒の直進溝と合致した位置で、次の移動レンズ枠のカムピンを前記カム溝及び直進溝に嵌合させて、次の移動レンズ枠をカム筒に取り付ける。この時、本発明は、最初の移動レンズ枠に保持された移動レンズと、次の移動レンズ枠に保持された移動レンズとによって、所定の焦点距離でピントが合った状態になる。したがって、本発明は、最初の移動レンズ枠用のカム溝を、次の移動レンズ枠用のカム溝として共用したので、カム溝の本数を削減することができ、また、カム筒を小型化することができる。
【００１１】
請求項２記載の発明は、前記カム筒をモータで回動させるようにしたものである。即ち、請求項１記載の発明のカム筒は、手動で回動させるものであっても良い。
【発明の効果】
【００１２】
本発明に係るレンズの移動機構によれば、カム筒に最初に取り付けられる移動レンズ枠用のカム溝を、次に取り付けられる移動レンズ枠用のカム溝として共用したので、カム溝の本数を削減することができる。これにより、本発明は、カム筒の製作が容易になり、また、カム筒を小型化することができる。
【発明を実施するための最良の形態】
【００１３】
以下添付図面に従って本発明に係るレンズの移動機構の好ましい実施の形態を詳述する。
【００１４】
図１〜図３は、デジタルカメラ等の電子カメラのレンズ鏡胴１０の断面図であり、図１はカメラ本体１２に対するレンズ鏡胴１０の沈胴位置を示す断面図、図２はレンズ鏡胴１０のＴＥＬＥ端位置を示す断面図、図３はレンズ鏡胴１０のＷＩＤＥ端位置を示す断面図である。
【００１５】
図１〜図３に示すように、前記電子カメラは、カメラ本体１２とレンズ鏡胴１０とが一体型のカメラであり、未使用時にはレンズ鏡胴１０が図１に示す沈胴位置に移動され、使用時にはフォーカス、及びズーム倍率に応じてレンズ鏡胴１０が図２、図３の如くカメラ本体１２から繰り出される。
【００１６】
前記レンズ鏡胴１０は主として、固定筒１４、カム筒１６、カム筒駆動モータ１８、移動筒（移動レンズ枠に相当）２０、１群レンズ２２、ピント微調整機構２４、及び２群レンズ２６等から構成される。１群レンズ２２は、１群レンズ枠２８に保持され、また、２群レンズ２６は、２群レンズ枠（移動レンズ枠）３０にそれぞれ保持されている。
【００１７】
前記レンズ鏡胴１０は、１群レンズ２２と２群レンズ２６とを前記カム筒１６によって光軸Ｌ方向に前後移動させて焦点距離を変えるメカニカルコンペンセーションタイプのズームレンズであり、このズームレンズの結像位置にはＣＣＤ３２が設けられている。前記ＣＣＤ３２は、カメラ本体１２に固定されたフレーム３４に取り付けられている。このＣＣＤ３２に結像された被写体像は、ＣＣＤ３２によって電気信号に変換された後、カメラ本体１２に内蔵された図示しない画像処理装置によって画像信号に変換される。そして、前記画像信号は、カメラ本体１２に内蔵された図示しない液晶表示パネル駆動回路を経由して、液晶表示パネルに画像として表示されたり、カメラ本体１２に着脱自在に装着されたメモリカード等の外部記憶媒体に記憶されたりする。
【００１８】
前記固定筒１４は、ＣＣＤ３２と同様にフレーム３４に取り付けられている。また、固定筒１４の内周面には光軸方向に直進溝１５が形成され、この直進溝１５に、移動筒２０に突設されたカムピン３６、及び２群レンズ枠３０に突設されたカムピン３８がそれぞれ嵌合されている。図１〜図３では前記カムピン３６、３８をそれぞれ１本のみ図示したが、前記カムピン３６、３８は図７に示すように、移動筒２０及び２群レンズ枠３０の外周部に等間隔（１２０°間隔）で３本ずつ突設され、これに対応して直進溝１５も等間隔で３本形成されている。これにより、移動筒２０と２群レンズ枠３０は、３本のカムピン３６、３８を介して直進溝１５に安定して支持されるので、光軸Ｌに対して倒れることなく前後移動することができる。
【００１９】
前記カムピン３６、３８は図１〜図３に示すように、前記直進溝１５を貫通してカム筒１６のカム溝４０、４２に嵌合される。カム溝４０、４２は、移動筒２０と２群レンズ枠３０の移動軌跡に応じて決定される非線形形状に形成されており、このカム溝４０、４２の形状に沿って移動筒２０と２群レンズ枠３０とが移動されることによりズーミングが行われる。このカム溝４０、４２については後述する。
【００２０】
前記カム筒１６は、固定筒１４の外周部に回動自在に設けられている。また、カム筒１６の図１〜図３上左側外周面にはギア４４が形成され、このギア４４に駆動力伝達ギア４６が噛合されている。駆動力伝達ギア４６は回転軸４８を介して減速ギアトレイン５０の図示しない出力側ギアに連結され、この減速ギアトレイン５０の図示しない入力側ギアが前記カム筒駆動モータ１８の出力軸に連結されている。したがって、カム筒駆動モータ１８を駆動すると、その駆動力が減速ギアトレイン５０から駆動力伝達ギア４６に伝達されて、カム筒１６が回転される。これにより、移動筒２０と２群レンズ枠３０とが直進溝１５にガイドされながらカム溝４０、４２の形状に沿って移動するのでズーミングが行われる。なお、前記カム筒１６には、カム筒１６の回転位置を検出するエンコーダ５２が取り付けられている。
【００２１】
前記ピント微調整機構２４は、１群レンズ２２を光軸Ｌ方向に微小量移動させてピントの微調整を行うための機構であり、主としてモータ５４、検出対象部材５６、及びフォトインタラプタ５８等から構成されている。
【００２２】
前記１群レンズ枠２８の外周面には図４に示すように、雄ねじ６０が形成されている。この雄ねじ６０は、移動筒２０の内周面に形成された雌ねじ６２に螺合されている。これにより、１群レンズ枠２８が光軸Ｌを中心に回動されると、前記雄ねじ６０と雌ねじ６２の作用によって１群レンズ枠２８が光軸Ｌ方向に前後移動する。この１群レンズ枠２８（１群レンズ２２）の移動によってピントの微調整が行われる。
【００２３】
前記１群レンズ枠２８の外周には、検出対象部材５６が配置されている。この検出対象部材５６は図４、図５に示すように、環状に形成された本体５６Ａと羽根５６Ｂとから構成されている。前記本体５６Ａの内周面にはキー５７、５７が対向して形成され、このキー５７、５７は１群レンズ枠２８の外周面に光軸Ｌ方向に形成されたキー溝２９、２９に嵌合されている。このキー５７とキー溝２９との嵌合作用によって、前記検出対象部材５６は、１群レンズ枠２８と共に回動可能で１群レンズ枠２８に対して光軸Ｌ方向に移動することができる。
【００２４】
また、前記本体５６Ａは図４に示すように、本体５６Ａと１群レンズ枠２８との間に嵌入されたウェーブワッシャ６４の付勢力によって、移動筒２０の内周面に形成されたフランジ６６に押圧当接されている。これによって、検出対象部材５６は、光軸Ｌ方向に対する位置ズレが規制されるので、１群レンズ枠２８の回動時においても光軸Ｌと直交する同一平面内で回動することができる。なお、１群レンズ枠２８は自身の回動によって前後移動するが、前記検出対象部材５６は前後移動しない。検出対象部材５６は、ウェーブワッシャ６４で位置ズレが規制され、また、キー５７とキー溝２９とによって１群レンズ枠２８に対する前後移動が許容されているからである。
【００２５】
検出対象部材５６の本体５６Ａの外周面には、ギア６８が形成されている。このギア６８は駆動力伝達ギア７０に噛合され、この駆動力伝達ギア７０は減速ギアトレイン７２（図１〜図５では１枚のギア７２のみ図示）を介してモータ５４の出力軸５５に連結されている。したがって、モータ５４を駆動すると、その駆動力が減速ギアトレイン７２から駆動力伝達ギア７０に伝達されるので、検出対象部材５６が光軸Ｌを中心に回動する。これにより、検出対象部材５６の回転力が、前記キー５７とキー溝２９と介して１群レンズ枠２８に伝達するので、１群レンズ枠２８が光軸Ｌ方向に前後移動し、１群レンズ２２によるピントの微調整が行われる。
【００２６】
検出対象部材５６の本体５６Ａの外周面には、羽根５６Ｂが突出形成されている。この羽根５６Ｂは、フォトインタラプタ５８によって実際に検出される検出対象物である。前記フォトインタラプタ５８は、前記羽根５６Ｂを検出することにより１群レンズ枠２８（１群レンズ２２）のホームポジションを検出する非接触式スイッチであり、その本体５８Ａの凹部側面に発光素子５９Ａと受光素子５９Ｂとが対向して設けられている。したがって、本体５８Ａの凹部に前記羽根５６Ｂが進入すると、発光素子５９Ａからの光線が羽根５６Ｂに遮られて受光素子５９Ｂで受光されなくなるので、この時の１群レンズ２２の位置を、ホームポジションとして取得している。このホームポジションを基準として前記１群レンズ２２が前後移動される。
【００２７】
図６は、前記カム筒１６の展開図である。
【００２８】
同図に示すカム筒１６は、その表面に１群レンズ２２用の３本のカム溝４０、４０、４０と、２群レンズ２６用の３本のカム溝４２、４２、４２が形成されている。前記カム溝４０は、カム筒１６の円周方向に１２０°間隔で形成されると共に、ズーミングを行うための非線形形状のカム溝４０Ａと、１群レンズ２２を沈胴させるための直線溝４０Ｂとから形成されている。また、前記カム溝４２も同様に、カム筒１６の円周方向に１２０°間隔で形成されると共に、ズーミングを行うための非線形形状のカム溝４２Ａと、２群レンズ２６を沈胴させるための直線溝４２Ｂとから形成されている。
【００２９】
ところで、前記カム溝４０とカム溝４２とは、カム溝４０の終端部４０Ｃと、カム溝４２の始端部４２Ｃとが連通されて、カム溝４０とカム溝４２とが１本のカム溝で形成されている。したがって、前記カム筒１６には、３本のカム溝が形成されている。ここで、図１２に示した従来のカム筒３と比較すると、このカム筒３に形成されたカム溝４、５は６本なので、図６のカム筒１６によれば、カム溝の本数が半分に削減されている。
【００３０】
よって、前記カム筒１６によれば、６本のカム溝４、５を製作する必要があった従来のカム筒３と比較して、３本のカム溝を製作するだけで良いので、カム筒１６の製作が容易になる。また、前記カム筒１６によれば、カム溝４０とカム溝４２とを連通した分の長さ（図１２上においてＬ×２の長さ）だけ、カム筒１６の展開長を従来のカム筒３よりも短くできるので、カム筒１６を小型化することができる。したがって、このカム筒１６を適用すれば、レンズ鏡胴１０の小型化が図られ、ひいてはカメラの小型化を図ることができる。
【００３１】
一方、図６に示すように前記カム溝４０には、カムピン挿入溝４１が形成されている。これらの挿入溝４１は図７に示すように、カム筒１６の端面に開口されている。したがって、移動枠２０のカムピン３６や、２群レンズ枠３０のカムピン３８を前記挿入溝４１を介してカム溝４０、４２に嵌合することができる。
【００３２】
次に、前記レンズ鏡胴１０の組立手順について図７〜図９を参照しながら説明する。
【００３３】
まず、図７において、固定筒１４の外周部にカム筒１６を挿入し、固定筒１４にカム筒１６を回転自在に装着する。次に、カム筒１６をモータ１８で回転していき、カム筒１６の挿入溝４１、４１、４１が固定筒１４の直進溝１５、１５、１５に合致した位置でカム筒１６の回転を停止する。次いで、２群レンズ枠３０のカムピン３８、３８、３８を図８に示すように、前記直進溝１５、１５、１５の開口端１５Ａ、１５Ａ、１５Ａに合わせた後、２群レンズ枠３０をカム筒１６に向けて押し込む。これにより、前記カムピン３８、３８、３８は、前記開口端１５Ａ、１５Ａ、１５Ａから前記挿入溝４１、４１、４１を介してカム溝４０、４０、４０に嵌合される。なお、この時、前記カムピン３８、３８、３８は、前記直進溝１５、１５、１５にも嵌合される。これによって、２群レンズ枠３０が固定筒１４とカム筒１６に組み付けられる。
【００３４】
次に、カム筒１６をモータ１８で同方向に回転していき、カム筒１６の挿入溝４１、４１、４１が固定筒１４の直進溝１５、１５、１５に次に合致した時に、即ち、カム筒１６を図８の位置から１２０°回転させた時にカム筒１６の回転を停止する。この間、前記２群レンズ枠３０は、図６に示すカム溝４０にガイドされて光軸Ｌの後方に移動されていき、そして、カム筒１６が１２０°回転して停止した時にカム溝４２のＷＩＤＥ端位置に位置する。
【００３５】
この状態において図９に示すように、移動枠２０のカムピン３６、３６、３６を、直進溝１５、１５、１５の開口端１５Ａ、１５Ａ、１５Ａに合わせた後、移動枠２０をカム筒１６に向けて押し込む。これにより、前記カムピン３６、３６、３６は、開口端１５Ａ、１５Ａ、１５Ａから挿入溝４１、４１、４１を介してカム溝４０、４０、４０に嵌合される。この時、前記カムピン３６、３６、３６は、前記直進溝１５、１５、１５にも嵌合される。これによって、移動枠２０が固定筒１４とカム筒１６に組み付けられ、そして、この組み付け位置において前記移動枠２０は図６に示すＷＩＤＥ端位置に位置する。この位置において、前記２群レンズ枠３０もＷＩＤＥ端位置に位置しているので、前記レンズ鏡胴１０は、移動枠２０を組み付けた位置でＷＩＤＥの特性を有する。したがって、このレンズ鏡胴１０によれば、移動枠２０を組み付けるとＷＩＤＥの特性を有するので、ズーミング設定が容易になる。以上で、レンズ鏡胴１０の組み立てが終了する。
【００３６】
このように組み立てられたレンズ鏡胴１０によれば、カム筒１６を図６に示すＷＩＤＥ〜ＴＥＬＥまでの範囲で回動させると、移動枠２０と２群レンズ枠３０とが非線形形状のカム溝４０Ａ、４２Ａに沿って光軸方向に前後移動するので、ズーミングを行うことができる。そして、カム筒１６をＴＥＬＥ位置から沈胴位置に向けて回動させると、移動枠２０と２群レンズ枠３０とが直線溝４０Ｂ、４２Ｂに沿って光軸Ｌの後方に移動してカメラ本体１２に沈胴する。
【００３７】
図１０は、第２の実施の形態に係るカム筒１６Ａの展開図であり、図６に示した第１の実施の形態に係るカム筒１６と同一若しくは類似の部材については同一の符号を付してその説明は省略する。
【００３８】
図６のカム筒１６に対する図１０のカム筒１６Ａの相違点は、カム筒１６Ａにカム溝４２の沈胴用直進溝を形成していない点である。即ち、図１０のカム筒１６Ａは、沈胴しないカム筒１６Ａである。このカム筒１６Ａも前記カム筒１６と同様に、カム溝４０とカム溝４２とが１本のカム溝で形成されているので、カム筒１６Ａの製作が容易になり、また、カム溝４０とカム溝４２とを連通した分の長さだけカム筒１６Ａを小型化することができる。
【００３９】
図１１は、参考例に係るカム筒１６Ｂの展開図であり、図６に示した第１の実施の形態に係るカム筒１６と同一若しくは類似の部材については同一の符号を付してその説明は省略する。
【００４０】
図６のカム筒１６に対する図１１のカム筒１６Ｂの相違点は、連通溝４１Ａをカム筒１６Ｂに形成した点である。連通溝４１は、挿入溝４１とカム溝４２の始端部４２Ｃとを連通する溝であり、光軸Ｌと平行に形成されると共にカムピン３８が挿通可能な大きさに形成されている。
【００４１】
次に、前記カム筒１６Ｂに対する２群レンズ枠３０と移動枠２０との組付方法について説明する。
【００４２】
まず、カム筒１６Ｂを回転していき、カム筒１６の挿入溝４１、４１、４１が固定筒１４の直進溝１５、１５、１５（図７参照）に合致した位置でカム筒１６の回転を停止する。
【００４３】
次いで、２群レンズ枠３０のカムピン３８、３８、３８を直進溝１５、１５、１５の開口端１５Ａ、１５Ａ、１５Ａに合わせた後、２群レンズ枠３０をカム筒１６に向けて押し込む。これにより、前記カムピン３８、３８、３８は、前記開口端１５Ａ、１５Ａ、１５Ａから前記挿入溝４１、４１、４１、及び前記連通溝４１Ａ、４１Ａ、４１Ａを介してカム溝４２、４２、４２に嵌合される。これにより、２群レンズ枠３０がカム筒１６に組み付けられる。
【００４４】
そして、この状態で、移動枠２０のカムピン３６、３６、３６を、直進溝１５、１５、１５の開口端１５Ａ、１５Ａ、１５Ａに合わせた後、移動枠２０をカム筒１６に向けて若干量押し込む。これにより、前記カムピン３６、３６、３６が、開口端１５Ａ、１５Ａ、１５Ａから挿入溝４１、４１、４１を介してカム溝４０、４０、４０に嵌合される。これによって、移動枠２０が固定筒１４とカム筒１６に組み付けられる。
【００４５】
したがって、前記カム筒１６Ｂによれば、２群レンズ枠３０と移動枠２０とを同時に組み付けることができるので、組立性を向上させることができる。
【００４６】
また、前記カム筒１６Ｂも前記カム筒１６と同様に、カム溝４０とカム溝４２とが１本のカム溝で形成されているので、カム筒１６Ｂの製作が容易になり、また、カム溝４０とカム溝４２とを連通した分の長さだけカム筒１６Ｂを小型化することができる。
【００４７】
なお、本実施の形態では、２群構成のレンズ鏡胴１０について説明したが、３群構成のレンズ鏡胴でも本発明を適用することができる。
【００４８】
また、本実施の形態では、１つのレンズ枠（例えば移動枠２０）に３本のカムピン３６を突設しているので、カム筒１６に３本のカム溝４０を形成したが、カムピン３６が１本であればカム溝４０は１本で良い。即ち、カム溝４０は、カムピン３６の本数に対応した本数に形成すれば良い。
【００４９】
更に、本実施の形態では、電子カメラに適用されたレンズの移動機構について説明したが、これに限られるものではなく、写真フイルムを使用するカメラのレンズにも適用することができる。
【００５０】
また、本実施の形態では、カム筒をモータで回動させるカメラについて説明したが、手動で回動させるカメラに適用しても良い。
【図面の簡単な説明】
【００５１】
【図１】本実施の形態のレンズの移動機構が適用されたレンズ鏡胴の沈胴位置における状態を示した断面図
【図２】図１に示したレンズ鏡胴のＴＥＬＥ端位置の状態を示した断面図
【図３】図１に示したレンズ鏡胴のＷＩＤＥ端位置の状態を示した断面図
【図４】図１に示したレンズ鏡胴のピントの微調整機構を示す断面図
【図５】図１に示したレンズ鏡胴のピントの微調整機構を示す正面図
【図６】第１の実施の形態のカム筒の展開図
【図７】図１に示したレンズ鏡胴の組立斜視図
【図８】図１に示したレンズ鏡胴の組立斜視図
【図９】図１に示したレンズ鏡胴の組立斜視図
【図１０】第２の実施の形態のカム筒の展開図
【図１１】参考例のカム筒の展開図
【図１２】従来のカム筒の展開図
【符号の説明】
【００５２】
１０…レンズ鏡胴
１４…固定筒
１６…カム筒
２０…移動筒
２２…１群レンズ
２６…２群レンズ
２８…１群レンズ枠
３６、３８…カムピン
４０、４２…カム溝
【図１】
0004572914.tif 000002
【図２】
0004572914.tif 000003
【図３】
0004572914.tif 000004
【図４】
0004572914.tif 000005
【図５】
0004572914.tif 000006
【図６】
0004572914.tif 000007
【図７】
0004572914.tif 000008
【図８】
0004572914.tif 000009
【図９】
0004572914.tif 000010
【図１０】
0004572914.tif 000011
【図１１】
0004572914.tif 000012
【図１２】
0004572914.tif 000013